(57)【要約】【課題】握り柄に対してブラシ体の長さ方向の向きを、磨かんとする歯の部位に合わせて選択することができ、特に、前歯を磨く時の上下の動きが腕に負担をかけずに円滑に行え、各部位の歯を確実に磨くことができる歯ブラシを提供する。【解決手段】握り柄２の先端側に可撓部４を介してヘッド部分５を連成し、このヘッド部分５で回転可能に保持した回転部材１３の下部に、ブラシ体３を一体に回転するよう固定し、上記回転部材１３の上面に複数の凹溝１６をクロス状に形成すると共に、ヘッド部分５の周囲上面に凹欠部１０を設け、後端を握り柄２に固定して上記可撓部４の上部に配置した係止杆１９の先端側に、回転部材１３の一つの凹溝１６とヘッド部分５の凹欠部１０に係合して回転部材１３を回り止めとし、可撓部４を下方に撓ませたときに凹溝１６及び凹欠部１０への係合が外れる係合片２１を設け、握り柄２に対してブラシ体３の長さ方向の向きを可変としている。【選択図】　図３
2004089346.tif 000002
【特許請求の範囲】
【請求項１】
握り柄の先端部下面側に、ブラシ体を握り柄の長さ方向に対して角度可変に取り付けた歯ブラシ。
【請求項２】
握り柄の先端側に、厚さ方向に撓むことのできる可撓部を介してヘッド部分を連成し、このヘッド部分に形成した段付き孔で回転可能に保持した回転部材の下部に、ブラシ体を一体に回転するよう取り外し可能に固定し、上記回転部材の上面に複数の凹溝をクロス状に形成すると共に、ヘッド部分の周囲上面に凹欠部を設け、上記可撓部の上部に配置した係止杆の後端を握り柄に固定し、この係止杆の先端側に、回転部材の一つの凹溝とヘッド部分の凹欠部に係合して回転部材を回り止めとし、可撓部を下方に撓ませたときに凹溝及び凹欠部への係合が外れる係合片を設けた歯ブラシ。
【発明の詳細な説明】
【０００１】
【発明の属する技術分野】
この発明は、握り柄の先端に設けたブラシ体の長さ方向の向きを変えることができるようにした歯ブラシに関する。
【０００２】
【従来の技術】
従来の一般的な歯ブラシは、握り柄の先端部下面に多数の毛体を植設し、握り柄の長さ方向に長いブラシ部を形成した構造になっている。
このような歯ブラシは、ブラシ部に歯磨剤を塗布した状態で歯磨きを行うものである。
【０００３】
ところで、歯磨きを行う場合の歯ブラシの基本運動は、歯の部位によって異なり、例えば、奥歯を磨く場合は歯ブラシを前後に動かし、前歯を磨く場合は歯ブラシを上下に動かすようにする。
【０００４】
【発明が解決しようとする課題】
ところで、上記のような従来の歯ブラシは、ブラシ部が握り柄の先端部に固定化されているので、歯磨きを行う場合、手で握り柄を握って歯ブラシを略水平状態に保持し、腕を前後や上下に動かすことになる。
【０００５】
ところで、手で水平状態にした歯ブラシを前後に動かすための腕の運動は、腕を水平方向に振るようにすればよいので、人間の腕の構造上、無理なく行えるが、歯ブラシを上下に動かす運動は、前腕や手首を上下方向に揺動させなければならないので、腕の動きがどうしてもぎこちなくなり、長く磨こうとすると腕が疲れるだけでなく、前歯を確実に磨くのが困難であるという問題がある。
【０００６】
そこで、この発明の課題は、握り柄の長さ方向に対してブラシ体の長さ方向の向きを、磨かんとする歯の部位に合わせて選択することができ、特に、前歯を磨く時の上下の動きが腕に負担をかけずに円滑に行え、各部位の歯を確実に磨くことができる歯ブラシを提供することにある。
【０００７】
【課題を解決するための手段】
上記のような課題を解決するため、請求項１の発明は、握り柄の先端部下面側に、ブラシ体を握り柄の長さ方向に対して角度可変に取り付けた構成を採用したものである。
【０００８】
上記のような歯ブラシは、奥歯を磨くときブラシ体を握り柄の長さ方向に対して平行状にセットし、前後方向に移動させて磨く。
また、前歯を磨く場合は、ブラシ体を握り柄の長さ方向に対して直行状にセットし、握り柄を垂直に握ってブラシ体を水平にした状態で腕を上下に動かせばよく、垂直に握った握り柄を上下に動かす腕の運動は、腕に負担をかけずに円滑に行え、前歯を確実に磨くことができる。
【０００９】
請求項２の発明は、握り柄の先端側に、厚さ方向に撓むことのできる可撓部を介してヘッド部分を連成し、このヘッド部分に形成した段付き孔で回転可能に保持した回転部材の下部に、ブラシ体を一体に回転するよう取り外し可能に固定し、上記回転部材の上面に複数の凹溝をクロス状に形成すると共に、ヘッド部分の周囲上面に凹欠部を設け、上記可撓部の上部に配置した係止杆の後端を握り柄に固定し、この係止杆の先端側に、回転部材の一つの凹溝とヘッド部分の凹欠部に係合して回転部材を回り止めとし、可撓部を下方に撓ませたときに凹溝及び凹欠部への係合が外れる係合片を設けた構成を採用したものである。
【００１０】
上記回転部材の凹溝は、直交する二本を設け、一方がブラシ体の長さ方向に沿う配置となるよう回転部材とブラシ体を結合し、ブラシ体は、係止杆の係合片が、凹溝とヘッド部分の凹欠部に係合することにより握り柄に固定化され、一方の手で握り柄を握った状態で、他方の手でブラシ体を押し下げて可撓部を下方に撓ませると、凹溝と凹欠部が係合片から外れ、そのままブラシ体を９０°回転させて押し下げを解けば、可撓部の復元で凹溝と凹欠部が係合片に係合し、これによって、ブラシ体の角度を、握り柄の長さ方向に沿う配置と直交するＴ字形配置に変えることができる。
【００１１】
【発明の実施の形態】
以下、この発明の実施の形態を図示例と共に説明する。
【００１２】
図示のように、歯ブラシ１は、所定の長さを有する合成樹脂製の握り柄２と、この握り柄２の先端下部に角度可変となるよう取り付けたブラシ体３とからなり、上記握り柄２は、その先端側に、合成樹脂の弾性を利用して厚さ方向に撓むことのできる薄肉厚で湾曲する可撓部４と、この可撓部４の先端側に少し厚みのあるヘッド部分５を、握り柄２の長さ方向に平行して突出するよう連成して形成されている。
【００１３】
また、ブラシ体３は、横長となるブラシ台６の下面に多数の毛体７を植設して形成され、ブラシ台６の上面側中央に外嵌状となるよう固定した下向きコ字状の取り付け部材８にねじ孔９が設けられている。
【００１４】
上記ヘッド部分５には、周囲上面で先端部の位置に凹欠部１０と、中心部の位置に、上下に貫通し、上側が大径部で下側が小径部となる円形の段付き孔１１が設けられ、この段付き孔１１で回転部材１３が回転可能に保持されている。
【００１５】
この回転部材１３は、外径が段付き孔１１に丁度納まる段付きの円板状となり、軸心には上記ねじ孔９にねじ込むビス１４の挿通孔１５が貫通し、上面には、軸心の位置で直角にクロスする二本の凹溝１６が設けられている。
【００１６】
上記ヘッド部分５に対するブラシ体３の取り付けは、ヘッド部分５の段付き孔１１に回転部材１３を収め、ヘッド部分５の下面に配置したブラシ体３の取り付け部材８を回転部材１３の下面に重ね、回転部材１３に設けた挿通孔１５から取り付け部材８のねじ孔９にビス１４をねじ込むことにより、ヘッド部分５に対して回転部材１３とブラシ体３を回転可能な状態で結合している。
【００１７】
従って、ビス１４を緩めて外せば、回転部材１３とブラシ体３を分離でき、消耗品であるブラシ体３をヘッド部分５から取り外して新たなブラシ体３との交換が可能になり、握り柄２側は繰り返し使用できるので経済的である。
【００１８】
上記回転部材１３とブラシ体３が回転方向に一体となるよう、図示の場合、取り付け部材８の上面にピン１７を突設し、回転部材１３の下面にピン１７の結合孔１８を設け、ピン１７と結合孔１８で回転方向の一体化を行うようにしたが、これとは別に、回転部材１３とブラシ体３の取り付け部材８の重なり面の一方に角軸と他方にこの角軸が嵌合する角孔を設けたり、取り付け部材８の上面に突起をプレス成形し、回転部材１３の下面に突起の係合孔を設けた構造を採用し、回転方向に結合するようにしてもよい。
【００１９】
上記回転部材１３とブラシ体３は、回転部材１３に設けた一つの凹溝１６の長さ方向とブラシ体３の長さ方向が一致する位相になるよう、上記ピン１７と結合孔１８による回転方向に結合する手段の配置を設定しておく。
【００２０】
上記握り柄２における可撓部４からヘッド部分５の上部に、金属板等を用いた細長い係止杆１９を、可撓部４の長さ方向に沿うよう配置し、可撓部４の上面に沿う弧状に形付したこの係止杆１９の後端をビス２０で握り柄２の先端部分に重ねて固定し、ヘッド部分５の上に臨むこの係止杆１９の先端側に、水平の係合片２１が連成されている。
【００２１】
この係合片２１は、回転部材１３に設けた凹溝１６に対し、握り柄２の長さ方向に沿う配置となる凹溝１６とヘッド部分５の凹欠部１０に係合し、この係合により回転部材１３を回り止めとすることで、握り柄２に対してブラシ体３を回転不能に固定化する。
【００２２】
また、握り柄２を握った状態でヘッド部分５を押し下げて可撓部４を下方に撓ませると、後端が握り柄２に固定された係止杆１９は変形しないので、係合片２１からヘッド部分５が離れ、係合片２１の凹溝１６及び凹欠部１０への係合が外れるので、ブラシ体３は回転可能な状態になる。
【００２３】
この発明の歯ブラシは、上記のような構成であり、次にその使用方法を説明する。
【００２４】
図１は、奥歯を磨くために、ブラシ体３を握り柄２の長さ方向に沿うようセットした状態を示し、ブラシ体３が握り柄２の長さ方向に延長状となるので、口の奥まで挿入することができ、奥歯を確実に磨くことができることになり、また、図２（Ａ）は、前歯を磨くために、ブラシ体３を握り柄２の長さ方向に対して直交するようＴ字形にセットした状態を示している。
【００２５】
上記のようなブラシ体３のセット状態は、何れの場合も、図３（Ａ）で示したように、係合片２１が回転部材１３の凹溝１６とヘッド部分５の凹欠部１０に係合して回転部材１３を回り止めとすることで、握り柄２の先端にブラシ体３が固定化される。
【００２６】
図２（Ａ）のように、前歯を磨くために、ブラシ体３を握り柄２の長さ方向に対して直交するようセットした状態で、握り柄２を握って垂直にすると、ブラシ体３が水平になり、前歯を磨くためには　垂直の握り柄２を上下動させることによって行えばよく、この垂直に握った握り柄２を上下に動かす腕の運動は、腕に負担をかけずに円滑に行え、前歯を確実に磨くことができることになる。
【００２７】
歯の磨く場所に合わせて上記ブラシ体３の角度を変えるには、図３（Ｂ）に示すように、一方の手で握り柄２を握った状態で、他方の手でブラシ体３を介してヘッド部分５を押し下げて可撓部４を下方に撓ませると、係止杆１９は変形しないので、凹溝１６と凹欠部１０が係合片２１から外れ、そのままブラシ体３を９０°回転させて上記押し下げを解けば、可撓部４の復元で凹溝１６と凹欠部１０が係合片２１に係合し、これによって、ブラシ体３の角度を、図１のような握り柄２の長さ方向に沿う配置又は、図２（Ａ）のように直交するＴ字形の配置の何れかに変えることができる。
【００２８】
【発明の効果】
以上のように、この発明によると、握り柄の先端部下面側に、ブラシ体を握り柄の長さ方向に対して角度可変に取り付けたので、歯の磨く場所に合わせてブラシ体を最適な角度に変えることができ、ブラシ体を握り柄の長さ方向に対して直交するようセットした状態で、握り柄を握って垂直にすると、ブラシ体が水平になり、前歯を磨くためには　垂直の握り柄をを上下動させることによって行えばよく、この垂直に握った握り柄を上下に動かす腕の運動は、腕に負担をかけずに円滑に行え、特に前歯を確実に磨くことができることになる。
【図面の簡単な説明】
【図１】（Ａ）はこの発明の歯ブラシを奥歯磨きの状態にセットした正面図、（Ｂ）は同上の要部を拡大した平面図
【図２】（Ａ）はこの発明の歯ブラシを前歯磨きの状態にセットした要部を拡大した平面図、（Ｂ）はこの発明の歯ブラシの要部を示す分解斜視図
【図３】（Ａ）はこの発明の歯ブラシを奥歯磨きの状態にセットしたときの要部の拡大縦断正面図、（Ｂ）は同じく係止杆に対して回転部材の係合を解いた状態の縦断正面図
【符号の説明】
１　　歯ブラシ
２　　握り柄
３　　ブラシ体
４　　可撓部
５　　ヘッド部分
６　　ブラシ台
７　　毛体
８　　取り付け部材
９　　ねじ孔
１０　凹欠部
１１　段付き孔
１３　回転部材
１４　ビス
１５　挿通孔
１６　凹溝
１７　ピン
１８　結合孔
１９　係止杆
２０　ビス
２１　係合片
【図１】
2004089346.tif 000003
【図２】
2004089346.tif 000004
【図３】
2004089346.tif 000005